(57)【要約】【解決手段】カッターの挿嵌部６は支持筒１２に嵌め込まれる。ロック操作筒１４はロック位置Ｐとロック解除位置とを取る。可動ロック球２０はこのロック位置Ｐにおけるロック状態ＲＰとこのロック解除位置におけるロック解除状態とを取る。ストッパ体２３は、ばね３１の弾性力により可動ロック球２０をロック解除状態に保持するストッパ状態と、ばね３１の弾性力に抗して可動ロック球２０から退避するストッパ解除状態ＵＰとを取る。押圧体３０は、ばね３１の弾性力によりセンター軸１０側へ移動する待機状態Ｍと、センター軸１０によりばね３１の弾性力に抗して押されて移動する退避状態とを取る。ストッパ体２３と押圧体３０とを連動部３２で相対移動可能に係合させてストッパ体２３に用いるばね３１と押圧体３０に用いるばね３１とを互いに兼用している。【効果】カッター取付具において組み込むばね３１の数を減らして構造を簡略化する。【選択図】図３
2008264956.tif 000002
【特許請求の範囲】
【請求項１】
カッターの挿嵌部が挿脱可能に嵌め込まれる支持孔を有する支持筒と、この支持筒に対しロック位置とロック解除位置とに移動可能に支持したロック操作体と、カッターの挿嵌部の外周面の挿脱軌跡面に面する支持筒の支持孔の内周面で支持筒に支持され、ロック操作体のロック位置で前記外周面の挿脱軌跡面の内側へ入り込むロック状態と、ロック操作体のロック解除位置で前記外周面の挿脱軌跡面の外側へ逃げ得るロック解除状態とを取り得る可動ロック体と、支持筒に対し移動可能に支持され、可動ロック体をロック解除状態に保持するストッパ状態と、その可動ロック体から退避するストッパ解除状態とを取り得るストッパ体と、カッターの挿嵌部を支持筒の支持孔に挿嵌した際に、カッターの挿嵌部に対しその回転中心線上で回転中心線方向へ移動可能に挿通されたセンター軸を当接させることができる押圧体とを備えたカッター取付具において、このストッパ体は、ばねの弾性力により移動してストッパ状態となり、ばねの弾性力に抗して移動してストッパ解除状態となり、この押圧体は、ばねの弾性力によりセンター軸側へ移動する待機状態と、センター軸によりばねの弾性力に抗して押されて移動する退避状態とを取り、このストッパ体と押圧体とを連動部で相対移動可能に係合させて前記ストッパ体に用いるばねと押圧体に用いるばねとを互いに兼用したことを特徴とするカッター取付具。
【請求項２】
前記ストッパ体と押圧体とは、前記兼用ばねの弾性力により連動部で互いに連動して移動することができるとともに、この兼用ばねの弾性力に抗してこの連動部で互いに連動して移動することができ、この押圧体は前記ストッパ体との連動部でストッパ体に対し相対移動してこの兼用ばねの弾性力に抗して単独でも移動し得ることを特徴とする請求項１に記載のカッター取付具。
【請求項３】
前記ストッパ体はカッターの挿嵌部の回転中心線方向へ移動可能に支持され、前記押圧体はこのストッパ体に対しこの回転中心線方向へ移動可能に支持されていることを特徴とする請求項２に記載のカッター取付具。
【請求項４】
前記ストッパ体は前記兼用ばねの弾性力を受けて停止する係止部を有していることを特徴とする請求項３に記載のカッター取付具。
【請求項５】
前記ストッパ体は筒状をなし、前記押圧体はこのストッパ体の内側に挿通されて前記センター軸に面する当接部を有し、前記兼用ばねはこの押圧体に支持されていることを特徴とする請求項４に記載のカッター取付具。
【請求項６】
前記ストッパ体は、前記可動ロック体をロック解除状態に保持し得るストッパ筒と、このストッパ筒からカッターの回転中心線方向へ延設した係止筒とを有し、この係止筒に前記係止部を設けていることを特徴とする請求項５に記載のカッター取付具。
【請求項７】
前記ストッパ体においてストッパ筒と係止筒とは互いに螺合されていることを特徴とする請求項６に記載のカッター取付具。
【発明の詳細な説明】
【技術分野】
【０００１】
本発明は、穿孔カッターなどの各種カッター、特に穿孔カッターのシャンクを支持するためのカッター取付具に関するものである。
【背景技術】
【０００２】
従来、下記特許文献１は、下記のストッパ体（同公報の支承部材２）と押圧体（同公報の弁体１１）とを備えている。このストッパ体は、ばね（同公報のスプリング３）の弾性力により移動して可動ロック球（同公報の施錠部材７）をロック解除状態に保持するストッパ状態と、ばねの弾性力に抗して移動してその可動ロック球から退避するストッパ解除状態とを取り得る。この押圧体は、カッター（同公報のカッタ６）の挿嵌部（同公報の挿入部９）を挿嵌した際にセンター軸（同公報のセンターピン８）を当接させることができ、ばね（同公報のスプリング１３）の弾性力によりセンター軸側へ移動する待機状態と、センター軸によりばねの弾性力に抗して押されて移動する退避状態とを取り得る。
【特許文献１】特許第２５５８０５４号公報
【発明の開示】
【発明が解決しようとする課題】
【０００３】
上記特許文献１では、前記ストッパ体（同公報の支承部材２）に用いるばね（同公報のスプリング３）と前記押圧体（同公報の弁体１１）に用いるばね（同公報のスプリング１３）とが別々に設けられているため、組み込むばねの数が増える問題があった。
【０００４】
この発明は、カッター取付具において組み込むばねの数を減らして構造を簡略化することを目的としている。
【課題を解決するための手段】
【０００５】
後記実施形態の図面（図１〜６）の符号を援用して本発明を説明する。
請求項１の発明にかかるカッター取付具は、下記のように構成されている。
このカッター取付具１は、下記の支持筒１２とロック操作体１４と可動ロック体２０とストッパ体２３と押圧体３０とを備えている。前記支持筒１２は、カッター２の挿嵌部６が挿脱可能に嵌め込まれる支持孔１５を有している。前記ロック操作体１４は、この支持筒１２に対しロック位置Ｐとロック解除位置Ｑとに移動可能に支持されている。前記可動ロック体２０は、カッター２の挿嵌部６の外周面８の挿脱軌跡面に面する支持筒１２の支持孔１５の内周面１３ｂで支持筒１２に支持され、ロック操作体１４のロック位置Ｐで前記外周面８の挿脱軌跡面の内側へ入り込むロック状態ＲＰと、ロック操作体１４のロック解除位置Ｑで前記外周面８の挿脱軌跡面の外側へ逃げ得るロック解除状態ＳＱとを取り得る。前記ストッパ体２３は、支持筒１２に対し移動可能に支持され、ばね３１の弾性力により移動して可動ロック体２０をロック解除状態ＳＱに保持するストッパ状態ＤＱと、ばね３１の弾性力に抗して移動してその可動ロック体２０から退避するストッパ解除状態ＵＰとを取り得る。前記押圧体３０は、カッター２の挿嵌部６を支持筒１２の支持孔１５に挿嵌した際に、カッター２の挿嵌部６に対しその回転中心線２ａ上で回転中心線２ａの方向へ移動可能に挿通されたセンター軸１０を当接させることができ、ばね３１の弾性力によりセンター軸１０側へ移動する待機状態Ｍと、センター軸１０によりばね３１の弾性力に抗して押されて移動する退避状態Ｎとを取り得る。このストッパ体２３と押圧体３０とを連動部３２で相対移動可能に係合させて前記ストッパ体２３に用いるばね３１と押圧体３０に用いるばね３１とを互いに兼用している。
【０００６】
請求項１の発明では、ストッパ体２３用のばね３１と押圧体３０用のばね３１とを互いに兼用しているので、ストッパ体２３及び押圧体３０に用いるばね３１の数を減らして構造を簡略化することができる。
【０００７】
請求項１の発明を前提とする請求項２の発明において、前記ストッパ体２３と押圧体３０とは、前記兼用ばね３１の弾性力により連動部３２で互いに連動して移動することができるとともに、この兼用ばね３１の弾性力に抗してこの連動部３２で互いに連動して移動することができ、この押圧体３０は前記ストッパ体２３との連動部３２でストッパ体２３に対し相対移動してこの兼用ばね３１の弾性力に抗して単独でも移動し得る。例えば、兼用ばね３１の弾性力が押圧体３０に付与されてさらに連動部３２を介してストッパ体２３に付与され、カッター２の挿嵌部６によりストッパ体２３に付与された押圧力が連動部３２により兼用ばね３１の弾性力に抗して押圧体３０に付与され、センター軸１０による押圧力が兼用ばね３１の弾性力に抗して押圧体３０のみに付与される。請求項２の発明では、ストッパ体２３をストッパ状態ＤＱとストッパ解除状態ＵＰとに移動させることができるばかりではなく、押圧体３０とともにセンター軸１０を退避させることができる。
【０００８】
請求項２の発明を前提とする請求項３の発明において、前記ストッパ体２３はカッター２の挿嵌部６の回転中心線２ａの方向へ移動可能に支持され、前記押圧体３０はこのストッパ体２３に対しこの回転中心線２ａの方向へ移動可能に支持されている。請求項３の発明では、互いに機能の異なるストッパ体２３と押圧体３０とをコンパクトにまとめることができる。
【０００９】
請求項３の発明を前提とする請求項４の発明において、前記ストッパ体２３は前記兼用ばね３１の弾性力を受けて停止する係止部２７を有している。請求項４の発明では、この係止部２７によりストッパ体２３を所定位置のストッパ状態ＤＱで停止させることができる。
【００１０】
請求項４の発明を前提とする請求項５の発明において、前記ストッパ体２３は筒状をなし、前記押圧体３０はこのストッパ体２３の内側に挿通されて前記センター軸１０に面する当接部３０ａを有し、前記兼用ばね３１はこの押圧体３０に支持されている。請求項５の発明では、互いに機能の異なるストッパ体２３と押圧体３０と兼用ばね３１とをコンパクトにまとめることができる。
【００１１】
請求項５の発明を前提とする請求項６の発明において、前記ストッパ体２３は、前記可動ロック体２０をロック解除状態ＳＱに保持し得るストッパ筒２４と、このストッパ筒２４からカッター２の回転中心線２ａの方向へ延設した係止筒２５とを有し、この係止筒２５に前記係止部２７を設けている。請求項６の発明では、ストッパ体２３において互いに機能の異なるストッパ筒２４と係止筒２５とをコンパクトにまとめることができる。
【００１２】
請求項６の発明を前提とする請求項７の発明にかかるストッパ体２３において、ストッパ筒２４と係止筒２５とは互いに螺合されている。請求項７の発明では、互いに機能の異なるストッパ筒２４と係止筒２５とからなるストッパ体２３を容易に設けることができる。
【００１３】
次に、請求項以外の技術的思想について実施形態の図面の符号を援用して説明する。
請求項１から請求項７のうちいずれかの請求項の発明を前提とする第８の発明において、前記ロック操作体１４は、ロックばね１７により付勢され、そのロックばね１７の弾性力により回動して前記ロック位置Ｐとなり、そのロックばね１７の弾性力に抗して回動して前記ロック解除位置Ｑとなる。第８の発明では、ロック操作体１４をコンパクトにまとめることができる。
【００１４】
第９の発明にかかるカッター取付具は、下記のように構成されている。
このカッター取付具１は、下記の支持筒１２とロック操作筒１４とロック機構部１８とストッパ体２３と押圧体３０とを備えている。前記支持筒１２においては、カッター２に設けた挿嵌部６がこのカッター２の回転中心線２ａの方向へ挿脱可能に嵌め込まれる支持孔１５を有し、その挿嵌部６の外周面８がこの支持孔１５の内周面１３ｂに対し嵌合する。前記ロック操作体１４においては、この支持筒１２の外周に対しこのカッター２の回転中心線２ａの方向を中心に回動可能に嵌め込まれる案内孔１６を有し、この支持筒１２の外周面１３ａがこの案内孔１６の内周面１６ａに面する。前記ロック機構部１８においては、この支持筒１２に対し支持孔１５の外周でこのロック操作筒１４の回動方向Ｘへ並設した複数の収容孔１９を有し、この各収容孔１９に可動ロック体２０を嵌め込んで支持筒１２の内外周面１３ｂ．１３ａ間で移動可能に支持している。前記ロック操作筒１４の案内孔１６の内周面１６ａには、前記支持筒１２の外周面１３ａから突出した可動ロック体２０が係入される退避凹部２１と、その突出を規制する退避規制面２２とをロック操作筒１４の回動方向Ｘへ交互に並設している。このロック操作筒１４がロックばね１７の弾性力により回動したロック位置Ｐでは、このロック操作筒１４の退避規制面２２に当接した可動ロック体２０が支持筒１２の内周面１３ｂから突出して、支持筒１２の支持孔１５に挿嵌されたカッター２の挿嵌部６の外周面８でロック操作筒１４の回動方向Ｘへ並設した複数のロック凹部９に係入される。このロック操作筒１４をロックばね１７の弾性力に抗して回動させて支持筒１２の支持孔１５からカッター２の挿嵌部６を離脱させたロック解除位置Ｑでは、支持筒１２の外周面１３ａから突出した可動ロック体２０がロック操作筒１４の退避凹部２１に係入される。前記ストッパ体２３は、支持筒１２に対し移動可能に支持され、ばね３１の弾性力により移動して可動ロック体２０をロック解除状態ＳＱに保持するストッパ状態ＤＱと、ばね３１の弾性力に抗して移動してその可動ロック体２０から退避するストッパ解除状態ＵＰとを取り得る。前記押圧体３０は、カッター２の挿嵌部６を支持筒１２の支持孔１５に挿嵌した際に、カッター２の挿嵌部６に対しその回転中心線２ａ上で回転中心線２ａの方向へ移動可能に挿通されたセンター軸１０を当接させることができ、ばね３１の弾性力によりセンター軸１０側へ移動する待機状態Ｍと、センター軸１０によりばね３１の弾性力に抗して押されて移動する退避状態Ｎとを取り得る。このストッパ体２３と押圧体３０とを相対移動可能に係合させて前記ストッパ体２３に用いるばね３１と押圧体３０に用いるばね３１とを互いに兼用している。
【００１５】
第９の発明では、ストッパ体２３用のばね３１と押圧体３０用のばね３１とを互いに兼用しているので、ストッパ体２３及び押圧体３０に用いるばね３１の数を減らして構造を簡略化することができるとともに、カッター取付具１の全体をコンパクトにまとめることができる。
【発明の効果】
【００１６】
本発明は、カッター取付具１において組み込むばね３１の数を減らして構造を簡略化することができる。
【発明を実施するための最良の形態】
【００１７】
以下、本発明の一実施形態にかかるカッター取付具について図面を参照して説明する。
図１に示すように、カッター取付具１に取り付けられるカッター２においては、シャンク３の下半部に形成された連結部４に穿孔刃筒５が螺着され、シャンク３の上半部に形成された挿嵌部６がこの穿孔刃筒５の上側に並設されている。このシャンク３の挿嵌部６及び連結部４には回転中心線２ａ上で中心孔７が貫設されている。この挿嵌部６の外周面８（挿脱軌跡面）は回転中心線２ａを中心とする円形状をなし、この外周面８には複数（３個）のロック凹部９が回転中心線２ａに対する周方向へ等間隔で配置されて形成されている。なお、カッター２の挿嵌部とは、前記シャンク３自体を意味する以外に、図示しないが、このシャンク３を挿嵌したスリーブやソケットも含むシャンクを意味する。このシャンク３の中心孔７にはセンター軸１０が挿通され、このセンター軸１０の上端部に形成された押圧頭部１０ａがシャンク３の挿嵌部６の上端部に埋め込まれているとともに、このセンター軸１０の下端部に形成されたセンター部１０ｂが穿孔刃筒５内を通してその下方へ突出している。
【００１８】
図１，２に示すように、前記カッター取付具１においては、図示しない工作機械等に対し着脱自在に支持されるスプラインシャンク１１が支持筒１２の上側に一体的に形成され、この支持筒１２の下半部に形成された口筒部１３の外周にロック操作体としてのロック操作筒１４がカッター２の回転中心線２ａを中心に回動方向Ｘへ回動可能に挿嵌されている。この支持筒１２内には支持孔１５が形成されて口筒部１３の下側へ開放されている。このロック操作筒１４の内側に形成された案内孔１６の内周面１６ａはこの口筒部１３の外周面１３ａに面している。このロック操作筒１４の内側でこの口筒部１３の外周にはロックばね１７（ねじりコイルばね）が巻装され、このロックばね１７の一端部１７ａが支持筒１２に引掛けられているとともに、このロックばね１７の他端部１７ｂがロック操作筒１４に引掛けられている。このロック操作筒１４は、図３，４に示すように回動方向Ｘの両側のうち一方のロック向きＸＰへこのロックばね１７の弾性力により回動するロック位置Ｐと、図１，２，５に示すように回動方向Ｘの両側のうち他方のロック解除向きＸＱへこのロックばね１７の弾性力に抗して回動するロック解除位置Ｑとを取る。
【００１９】
図２，３，５に示すように、前記カッター取付具１においては、前記口筒部１３とロック操作筒１４との間で複数（３個）のロック機構部１８がカッター２の回転中心線２ａに対する周方向へ等間隔で配置されている。この各ロック機構部１８においては、支持孔１５の外周で口筒部１３に収容孔１９がロック操作筒１４の回動方向Ｘへ並設されて口筒部１３の外周面１３ａに対し外側開口１９ａで開放されているとともに口筒部１３の内周面１３ｂに対し内側開口１９ｂで開放され、この各収容孔１９に可動ロック体としての可動ロック球２０が嵌め込まれてこの内外両開口１９ｂ，１９ａ間で移動可能に支持されている。また、ロック操作筒１４の案内孔１６の内周面１６ａには複数（３個）の退避凹部２１がカッター２の回転中心線２ａに対する周方向へ等間隔で配置され、この各退避凹部２１とそれらの間の退避規制面２２とがロック操作筒１４の回動方向Ｘへ交互に並設されている。
【００２０】
前記カッター取付具１において支持筒１２の支持孔１５にはストッパ体２３がカッター２の回転中心線２ａの方向へ移動可能に挿嵌されている。このストッパ体２３は、前記口筒部１３の各収容孔１９に面し得るストッパ筒２４と、このストッパ筒２４の中央部で雌雄ねじ部２６により螺合されてカッター２の回転中心線２ａの方向へシャンク１１側に向けて延設された係止筒２５とを備えている。この係止筒２５の上端部には係止部としての係止縁部２７が形成されている。このシャンク１１内にはばね孔２８がカッター２の回転中心線２ａの方向へ貫設され、このばね孔２８と支持孔１５との間の境界部で係止部としての係止板２９が支持されている。この係止筒２５がこの係止板２９に対しカッター２の回転中心線２ａの方向へ移動可能に挿通され、係止筒２５の係止縁部２７が係止板２９に係止されてストッパ体２３の下動を阻止している。この係止筒２５内には押圧体３０がカッター２の回転中心線２ａ上でその回転中心線２ａの方向へ移動可能に挿入されている。シャンク１１のばね孔２８で支持された兼用ばね３１（圧縮コイルばね）によりこの押圧体３０が口筒部１３側へ押されてストッパ筒２４に対し連動部３２で圧接された待機状態Ｍとなり、その待機状態Ｍでこの押圧体３０の下端部に形成された当接部３０ａがストッパ筒２４の下側から支持孔１５へ露出している。このストッパ体２３は、図１，２に示すように兼用ばね３１の弾性力により下動して前記各ロック機構部１８に面するストッパ状態ＤＱと、図３，４，５に示すように兼用ばね３１の弾性力に抗して上動してストッパ解除状態ＵＰとを取る。
【００２１】
さて、図１に示すようにカッター取付具１からカッター２を取り外した分解状態で、そのカッター取付具１においては、ロック操作筒１４が前記ロック解除位置Ｑにあり、ストッパ体２３が前記ストッパ状態ＤＱにある。この分解状態では、図２に示すように、各ロック機構部１８において可動ロック球２０が口筒部１３の外周面１３ａから突出してロック操作筒１４の退避凹部２１に係入可能となる。また、各ロック機構部１８においては、ストッパ体２３のストッパ筒２４が可動ロック球２０に面し、この可動ロック球２０が退避凹部２１とストッパ筒２４との間に挟まれたロック解除状態ＳＱとなる。このロック解除状態ＳＱでは、可動ロック球２０が口筒部１３の内周面１３ｂから支持孔１５側へ突出するのを阻止することができる。
【００２２】
図２に示すように、前記分解状態でカッター２の挿嵌部６を口筒部１３の支持孔１５に挿入してストッパ筒２４に押し当て、さらにこの挿嵌部６の外周面８をこの支持孔１５の内周面１３ｂに嵌合させると、図３，４に示すように、ストッパ体２３と押圧体３０とは、連動部３２で互いに連動して兼用ばね３１の弾性力に抗して押し上げられ、係止筒２５の係止縁部２７がばね孔２８内の段差部３３に当接して停止し、前記ストッパ状態ＤＱから前記ストッパ解除状態ＵＰとなる。また、ロック操作筒１４は前記ロック解除位置Ｑからロックばね１７の弾性力によりロック向きＸＰへ回動して前記ロック位置Ｐとなる。その際、各ロック機構部１８において、可動ロック球２０は、ロック操作筒１４の退避規制面２２に押されて口筒部１３の内周面１３ｂから支持孔１５側へ突出し、挿嵌部６のロック凹部９に係入されたロック状態ＲＰとなる。
【００２３】
図５に示すように、前記ロック状態ＲＰでロック操作筒１４を前記ロック位置Ｐからロックばね１７の弾性力に抗してロック解除向きＸＱへ回動させて前記ロック解除位置Ｑにすると、各ロック機構部１８において可動ロック球２０はロック操作筒１４の退避凹部２１に係入可能となるために収容孔１９内で自由に動き得る。その直後、カッター２の挿嵌部６が兼用ばね３１の弾性力により押圧体３０とストッパ体２３との間の連動部３２を介して押し下げられると、各ロック機構部１８において可動ロック球２０が挿嵌部６のロック凹部９から離脱して挿嵌部６が口筒部１３の支持孔１５から抜け、ストッパ体２３が前記ストッパ状態ＤＱに戻るとともに、各可動ロック球２０が前記ロック解除状態ＳＱに戻る。
【００２４】
図３，４に示すようにカッター２をカッター取付具１に取り付けた状態で、図６に示すようにセンター軸１０のセンター部１０ｂを被切削物Ｗに押し当てながらカッター２の穿孔刃筒５により被切削物Ｗを切削すると、センター軸１０の押圧頭部１０ａが押圧体３０の当接部３０ａに当接してセンター軸１０が押圧体３０とともに兼用ばね３１の弾性力に抗して押し上げられる。前記シャンク１１内のばね孔２８には切削油が供給され、押圧体３０の待機状態Ｍでその当接部３０ａがストッパ筒２４を閉塞する弁体として機能するため、切削油がカッター２側へ流出するのを阻止する。その当接部３０ａがストッパ筒２４から上方へ離間して押圧体３０が退避状態Ｎになると、ストッパ筒２４が開放されるため、切削油がセンター軸１０の外周にある隙間を通って穿孔刃筒５に供給される。
【００２５】
本実施形態は下記の効果を有する。
＊  ストッパ体２３と押圧体３０とを連動部３２で相対移動可能に係合させるとともにストッパ体２３及び押圧体３０に用いるばね３１を兼用してその数を減らすことができる。
【００２６】
＊  互いに機能の異なるストッパ体２３と押圧体３０と兼用ばね３１とをコンパクトにまとめることができ、ひいてはカッター取付具１の全体をコンパクトにまとめることができる。
【００２７】
＊  ストッパ体２３において互いに機能の異なるストッパ筒２４と係止筒２５とをコンパクトにまとめることができる。
前記実施形態以外にも例えば下記のように構成してもよい。
【００２８】
・  前記実施形態ではセンター軸１０の上端部に形成された押圧頭部１０ａがカッター２の挿嵌部６の上端部に埋め込まれているが、この押圧頭部１０ａを挿嵌部６の上端部から突出させてもよい。この場合には、挿嵌部６を支持筒１２の支持孔１５に挿入すると、まずこの押圧頭部１０ａが前記押圧体３０の当接部３０ａに当接して押圧体３０を兼用ばね３１の弾性力に抗して持ち上げ、その後にこの挿嵌部６がストッパ筒２４に当接してストッパ体２３と押圧体３０とが連動部３２で互いに連動して兼用ばね３１の弾性力に抗して押し上げられる。
【図面の簡単な説明】
【００２９】
【図１】（ａ）は本実施形態にかかるカッター取付具からカッターを取り外した状態を示す正面図であり、（ｂ）は同じく正面側から見た断面図であり、（ｃ）はこのカッター取付具の横断面図であり、（ｄ）はこのカッターの横断面図である。
【図２】（ａ）は上記カッターを上記カッター取付具に取り付ける途中状態を正面側から見た部分断面図であり、（ｂ）は同じく横断面図である。
【図３】（ａ）は上記カッターを上記カッター取付具に取り付けた状態を正面側から見た部分断面図であり、（ｂ）は同じく横断面図である。
【図４】（ａ）は上記カッターを上記カッター取付具に取り付けた状態を示す正面図であり、（ｂ）は同じく正面側から見た断面図である。
【図５】（ａ）は上記カッターを上記カッター取付具から取り外す途中状態を正面側から見た部分断面図であり、（ｂ）は同じく横断面図である。
【図６】（ａ）は上記カッターの使用状態を示す正面図であり、（ｂ）は同じく正面側から見た断面図である。
【符号の説明】
【００３０】
１…カッター取付具、２…カッター、２ａ…カッターの回転中心線、６…カッターの挿嵌部、８…挿嵌部の外周面、１０…センター軸、１２…支持筒、１３ｂ…支持筒の内周面、１４…ロック操作体としてのロック操作筒、１５…支持筒の支持孔、２０…可動ロック体としての可動ロック球、２３…ストッパ体、２４…ストッパ体のストッパ筒、２５…ストッパ体の係止筒、２７…係止筒の係止部としての係止縁部、３０…押圧体、３０ａ…押圧体の当接部、３１…兼用ばね、３２…ストッパ体と押圧体との間の連動部、Ｐ…ロック操作筒のロック位置、Ｑ…ロック操作筒のロック解除位置、ＲＰ…可動ロック球のロック状態、ＳＱ…可動ロック球のロック解除状態、ＤＱ…ストッパ体のストッパ状態、ＵＰ…ストッパ体のストッパ解除状態、Ｍ…押圧体の待機状態、Ｎ…押圧体の退避状態。
【図１】
2008264956.tif 000003
【図２】
2008264956.tif 000004
【図３】
2008264956.tif 000005
【図４】
2008264956.tif 000006
【図５】
2008264956.tif 000007
【図６】
2008264956.tif 000008